(57)【特許請求の範囲】
【請求項１】
目地部を介して建てられた左右の建物の一方の建物の目地部側の床躯体に形成された目地部に開口する凹部と、前記左右の建物の他方の建物の目地部側の床躯体に後端部が取付けられ、前記凹部のほぼ中央部に位置する先端部の中央部寄りの部位に下方へ突出する少なくとも２個以上のスベリ支承あるいはローラーを備える台形状の固定目地プレートと、この固定目地プレートの後端両側部に後端部が枢支され、先端部に下方へ突出する少なくとも１個以上のスベリ支承あるいはローラーが備えられた、通常時は該固定目地プレートの両端部の隙間を覆うように外方へ突出し、地震等によって左右の建物が異なる前後方向に揺れ動いた場合には固定目地プレート内へ収納される一対の端部目地プレートと、この一対の端部目地プレートの後端部あるいは前記固定目地プレートの後端両側部に後端部が枢支され、先端部に下方へ突出する少なくとも１個以上のスベリ支承あるいはローラーが備えられた、通常時は該一対の端部目地プレート内に収納され、地震等によって左右の建物が異なる前後方向に揺れ動いた場合には外方へ突出する一対の補助目地プレートと、この一対の補助プレートと前記一対の端部目地プレートとを前記一方の建物の側壁との間に隙間が生じることなく位置させる保持具と、前記固定目地プレートの先端部のスライド移動を可能に前記凹部を覆うように前記一方の建物の床躯体に固定されたカバープレートとからなることを特徴とする床用目地装置。
【請求項２】
目地部を介して建てられた左右の建物の一方の建物の目地部側の床躯体に形成された目地部に開口する凹部に固定された下地レールと、前記左右の建物の他方の建物の目地部側の床躯体に後端部が取付けられ、前記下地レールのほぼ中央部に位置する先端部の中央部寄りの部位に補強材を介して下方へ突出する少なくとも２個以上のローラーを備える台形状の固定目地プレートと、この固定目地プレートの後端両側部に後端部が枢支され、先端部に補強材を介して下方へ突出する少なくとも１個以上のローラーが備えられた、通常時は該固定目地プレートの両端部の隙間を覆うように外方へ突出し、地震等によって左右の建物が異なる前後方向に揺れ動いた場合には固定目地プレート内へ収納される扇状の一対の端部目地プレートと、この一対の端部目地プレートの後端部あるいは前記固定目地プレートの後端両側部に後端部が枢支され、先端部に補強材を介して下方へ突出する少なくとも１個以上のローラーが備えられた、通常時は該一対の端部目地プレート内に収納され、地震等によって左右の建物が異なる前後方向に揺れ動いた場合には外方へ突出する扇状の一対の補助目地プレートと、この一対の補助プレートと前記一対の端部目地プレートとを前記一方の建物の側壁との間に隙間が生じることなく位置させる保持具と、前記固定目地プレートの先端部のスライド移動を可能に前記下地レールを覆うように該下地レールあるいは前記一方の建物の床躯体に固定されたカバープレートとからなることを特徴とする床用目地装置。
【請求項３】
目地部を介して建てられた左右の建物の他方の建物の目地部側の床躯体に後端部が取付けられ、前記一方の建物の目地部側の床躯体上に先端部の中央部寄りの部位に下方へ突出する少なくとも２個以上のスベリ支承あるいはローラーを備える台形状の固定目地プレートと、この固定目地プレートの後端両側部に後端部が枢支され、先端部に下方へ突出する少なくとも１個以上のスベリ支承あるいはローラーが備えられた、通常時は該固定目地プレートの両端部の隙間を覆うように外方へ突出し、地震等によって左右の建物が異なる前後方向に揺れ動いた場合には固定目地プレート内へ収納される一対の端部目地プレートと、この一対の端部目地プレートの後端部あるいは前記固定目地プレートの後端両側部に後端部が枢支され、先端部に下方へ突出する少なくとも１個以上のスベリ支承あるいはローラーが備えられた、通常時は該一対の端部目地プレート内に収納され、地震等によって左右の建物が異なる前後方向に揺れ動いた場合には外方へ突出する一対の補助目地プレートと、この一対の補助プレートと前記一対の端部目地プレートとを前記一方の建物の側壁との間に隙間が生じることなく位置させる保持具と、前記固定目地プレートの先端部のスライド移動を可能に覆うように前記一方の建物の床躯体に固定されたカバープレートとからなることを特徴とする床用目地装置。
【発明の詳細な説明】
【０００１】
【発明の属する技術分野】
本発明は目地部を介して建てられた左右の建物の床面間の目地部を覆う床用目地装置に関する。
【０００２】
【従来の技術】
従来、この種の床用目地装置は左右の建物の床部分の目地部寄りの部位に形成した凹部にそれぞれ固定したチャンネル状の下地レールと、この下地レールの目地部側部位に両側部が支持された目地プレートと、この目地プレートの両側部の上部を覆うように前記下地レールにそれぞれ取付けられたカバープレートとで構成されている。
【０００３】
【発明が解決しようとする課題】
従来の床用目地装置は地震等によって左右の建物が異なる左右方向に揺れ動いた場合には、目地プレートと下地レールの支持部とがスライド移動して、その揺れ動きを吸収することができるが、左右の建物が異なる前後方向に揺れ動いた場合、目地プレートが左右の建物の壁面に衝突して損傷するため、隙間を設けなければならず、隙間を設けると見苦しくなるという欠点があった。
【０００４】
本発明は以上のような従来の欠点に鑑み、左右の建物が地震等によって異なる前後左右方向に揺れ動いても、両端部に隙間が生じることなく、その揺れ動きにスムーズに追従移動して、損傷することがない床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の一方の建物の目地部側の床躯体に形成された目地部に開口する凹部と、前記左右の建物の他方の建物の目地部側の床躯体に後端部が取付けられ、前記凹部のほぼ中央部に位置する先端部の中央部寄りの部位に下方へ突出する少なくとも２個以上のスベリ支承あるいはローラーを備える台形状の固定目地プレートと、この固定目地プレートの後端両側部に後端部が枢支され、先端部に下方へ突出する少なくとも１個以上のスベリ支承あるいはローラーが備えられた、通常時は該固定目地プレートの両端部の隙間を覆うように外方へ突出し、地震等によって左右の建物が異なる前後方向に揺れ動いた場合には固定目地プレート内へ収納される一対の端部目地プレートと、この一対の端部目地プレートの後端部あるいは前記固定目地プレートの後端両側部に後端部が枢支され、先端部に下方へ突出する少なくとも１個以上のスベリ支承あるいはローラーが備えられた、通常時は該一対の端部目地プレート内に収納され、地震等によって左右の建物が異なる前後方向に揺れ動いた場合には外方へ突出する一対の補助目地プレートと、この一対の補助プレートと前記一対の端部目地プレートとを前記一方の建物の側壁との間に隙間が生じることなく位置させる保持具と、前記固定目地プレートの先端部のスライド移動を可能に前記凹部を覆うように前記一方の建物の床躯体に固定されたカバープレートとで床用目地装置を構成している。
【０００７】
【発明の実施の形態】
以下、図面に示す実施の形態により、本発明を詳細に説明する。
【０００８】
図１ないし図１０に示す本発明の第１の実施の形態において、１は目地部２を介して建てられた左右の建物３、３間の床目地部を覆う本発明の床用目地装置で、この床用目地装置１は前記左右の建物３、３の一方の建物３の目地部２側の床躯体３ａに形成された目地部２に開口する凹部４と、この凹部４に複数本の固定ビス５等によって固定された下地レール６と、前記左右の建物の３、３の他方の建物３の目地部側の床躯体３ａに形成された固定目地プレート取付け凹部７に複数本の固定ビス８によって後端部が取付けられ、前記凹部４に固定された下地レール６のほぼ中央部に位置する先端部の中央部寄りの部位に下方へ突出する少なくとも２個以上、本発明の実施の形態では３個のローラー９、９、９を備える台形状の固定目地プレート１０と、この固定目地プレート１０の後端両側部に後端部が枢支ピン１１、１１によって枢支され、先端部に下方へ突出する少なくとも１個以上、本発明の実施の形態では３個のローラー１２、１２、１２が備えられた通常時は該固定目地プレート１０の両端部の隙間１０ａ、１０ａを覆うように外方へ突出し、地震等によって左右の建物３、３が異なる前後方向に揺れ動いた場合には、固定目地プレート１０内へ収納される一対の端部目地プレート１３、１３と、この一対の端部目地プレート１３、１３の枢支ピン１１、１１に枢支あるいは前記固定目地プレート１０の後端両側部に後端部が枢支、本発明の実施の形態では枢支ピン１１、１１に枢支され、先端部に下方へ突出する少なくとも１個以上、本発明の実施の形態では３個のローラー１４、１４、１４が備えられた、通常時は該一対の端部目地プレート１３、１３内に収納され、地震等によって左右の建物３、３が異なる前後方向に揺れ動いた場合には外方へ突出する一対の補助目地プレート１５、１５と、この一対の補助目地プレート１５、１５と前記一対の端部目地プレート１３、１３とを前記一方の建物３の側壁３ｂ、３ｂとの間に隙間が生じることなく位置させる保持具１６、１６と、前記固定目地プレート１０の先端部のスライド移動を可能に、前記凹部４を覆うように前記下地レール６あるいは前記一方の建物３の床躯体３ａに複数本の固定ビス１７によって固定された、アルミやステンレス等の金属板製のカバープレート１８とで構成されている。
【０００９】
前記下地レール６は図４に示すように、アルミやステンレス等の金属材で前記凹部４の底面を覆う板状の下地レール本体１９と、この下地レール本体１９の一端部に下方へ突出するように形成された取付け片２０と、前記下地レール本体１９の他端部に複数本のビス２１によって固定された上方へ突出するカバープレート取付け片２２とで構成されている。
【００１０】
前記固定目地プレート１０は図５に示すように、アルミやステンレス等の金属板で台形状に形成された固定目地プレート本体２３と、この固定目地プレート本体２３の後端部の下面に溶接等によって固定された端部補強バー２４と、前記固定目地プレート本体２３の中央部寄りの下面に所定間隔で溶接等によって固定された複数本、本発明の実施の形態では３本の補強バー２５、２５、２５と、この３本の補強バー２５、２５、２５の両端部の補強バー２５、２５の中央部寄りの部位と、前記端部補強バー２４の両端部寄りの部位とに両端部が溶接等によって固定された筋交用補強バー２６、２６と、前記固定目地プレート本体２３の先端中央部寄りの下面に溶接等によって固定された先端部補強バー２７と、この先端部補強バー２７に所定間隔で取付けられたローラー９、９、９とで構成されている。
【００１１】
前記一対の端部目地プレート１３、１３は図６に示すように、アルミやステンレス等の金属板で扇状に形成された端部目地プレート本体２８と、この端部目地プレート本体２８の先端部および内側端部の下面に溶接等によって固定された補強バー２９と、この補強バー２９の先端部部位に所定間隔で取付けられたローラー１２、１２、１２とで構成されている。
【００１２】
前記一対の補助目地プレート１５、１５は図７に示すように、アルミやステンレス等の金属板で扇状に形成された補助目地プレート本体３０と、この補助目地プレート本体３０の下部外周部を覆うように、溶接等によって固定された補強バー３１と、この補強バー３１の先端部部位に所定間隔で取付けられたローラー１４、１４、１４とで構成されている。
【００１３】
前記保持具１６、１６は図８に示すように前記一対の端部目地プレート１３、１３をそれぞれ外方へ突出するように付勢する、端部目地プレート１３、１３と前記固定目地プレート１０の筋交用補強バー２６、２６との間に介装された付勢スプリング３２、３２と、前記一対の補助目地プレート１５、１５をそれぞれ外方へ突出するように付勢する端部目地プレート１３、１３の補強バー２９、２９と補助目地プレート１５、１５の補強バー３１、３１との間に介装された付勢スプリング３３、３３とで構成されている。
【００１４】
上記構成の床用目地装置１は、地震等によって左右の建物３、３が異なる左右方向に揺れ動いた場合、図９に示すように固定目地プレート１０、一対の端部目地プレート１３、１３および一対の補助目地プレート１５、１５の先端部に取付けられたローラー９、９、９、１２、１２、１２、１４、１４、１４が下地レール６上を転がって移動して、その揺れ動きを吸収する。
【００１５】
左右の建物３、３が異なる前後方向に揺れ動いた場合、図１０に示すように一方の建物３の側壁３ｂによって一方の端部目地プレート１３および補助目地プレート１５を固定目地プレート１０内へ押し込むとともに、他方の端部目地プレート１３より補助目地プレート１５が保持具１６によって突出し、目地部２に隙間が生じることなく固定目地プレート１０、一対の端部目地プレート１３、１３、一対の補助目地プレート１５、１５で覆うことができる。
【００１６】
【発明の異なる実施の形態】
次に、図１１ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図１１ないし図１３に示す本発明の第２の実施の形態において、前記本発明の第１の実施の形態と主に異なる点は、一対の補助目地プレート１５、１５の外側端部を一方の建物３の側壁３ｂ、３ｂに固定された支持片３４、３４にスライド移動可能に係止させるとともに、一対の端部目地プレート１３、１３を常時外方へ付勢する付勢スプリング３１、３１を用いた一対の保持具１６Ａ、１６Ａを用いた点で、このような一対の保持具１６Ａ、１６Ａを用いて構成した床用目地装置１Ａにしても、前記本発明の第１の実施の形態と同様な作用効果が得られる。
【００１８】
図１４ないし図１６に示す本発明の第３の実施の形態において、前記本発明の第１の実施の形態と主に異なる点は、１個のローラー１２を備えた一対の端部目地プレート１３Ａ、１３Ａと１個のローラー１４を備えた一対の補助目地プレート１５Ａ、１５Ａとを用いた点で、このように形成された一対の端部目地プレート１３Ａ、１３Ａと、一対の補助目地プレート１５Ａ、１５Ａを用いて構成した床用目地装置１Ｂにしても、前記本発明の第１の実施の形態と同様な作用効果が得られる。
【００１９】
図１７ないし図１９に示す本発明の第４の実施の形態において、前記本発明の第１の実施の形態と主に異なる点は、下端部が半球状に形成されたスベリ支承３５、３５、３５を用いた固定目地プレート１０Ａ、一対の端部目地プレート１３Ｂ、１３Ｂおよび一対の補助目地プレート１５Ｂ、１５Ｂを用いた点で、このように構成した床用目地装置１Ｃにしても、前記本発明の第１の実施の形態と同様な作用効果が得られる。
【００２０】
図２０ないし図２２に示す本発明の第５の実施の形態において、前記本発明の第１の実施の形態と主に異なる点は、左右の建物３、３の床面上に後端部に傾斜カバー３６が一体形成された固定目地プレート１０Ｂと、後端部に傾斜カバー３７が一体形成されたカバープレート１８Ａを用いた点で、このように構成した床用目地装置１Ｄにしても、前記本発明の第１の実施の形態と同様な作用効果が得られる。
【００２１】
【発明の効果】
以上の説明から明らかなように、本発明にあっては次に列挙する効果が得られる。
【００２２】
（１）目地部を介して建てられた左右の建物の一方の建物の目地部側の床躯体に形成された目地部に開口する凹部と、前記左右の建物の他方の建物の目地部側の床躯体に後端部が取付けられ、前記凹部のほぼ中央部に位置する先端部の中央部寄りの部位に下方へ突出する少なくとも２個以上のスベリ支承あるいはローラーを備える台形状の固定目地プレートと、この固定目地プレートの後端両側部に後端部が枢支され、先端部に下方へ突出する少なくとも１個以上のスベリ支承あるいはローラーが備えられた、通常時は該固定目地プレートの両端部の隙間を覆うように外方へ突出し、地震等によって左右の建物が異なる前後方向に揺れ動いた場合には固定目地プレート内へ収納される一対の端部目地プレートと、この一対の端部目地プレートの後端部あるいは前記固定目地プレートの後端両側部に後端部が枢支され、先端部に下方へ突出する少なくとも１個以上のスベリ支承あるいはローラーが備えられた、通常時は該一対の端部目地プレート内に収納され、地震等によって左右の建物が異なる前後方向に揺れ動いた場合には外方へ突出する一対の補助目地プレートと、この一対の補助プレートと前記一対の端部目地プレートとを前記一方の建物の側壁との間に隙間が生じることなく位置させる保持具と、前記固定目地プレートの先端部のスライド移動を可能に前記凹部を覆うように前記一方の建物の床躯体に固定されたカバープレートとで構成されているので、左右の建物が地震等によって異なる前後方向に揺れ動いた場合には、一対の端部目地プレートおよび一対の補助目地プレートが台形状の固定目地プレートの両端部より出没して、隙間が生じることなく目地部を覆うことができる。
したがって、安全に使用することができる。
【００２３】
（２）前記（１）によって、固定目地プレートの後端部を他方の建物の床躯体に取付けているので、固定目地プレートを確実に他方の建物に取付けることができ安全性の向上を図ることができる。
【００２４】
（３）前記（１）によって、固定目地プレートを台形状に形成しているので、異なる前後方向に左右の建物が揺れ動いても、固定目地プレートや一方の建物の側壁を損傷させることなく、その揺れ動きを吸収することができる。
【００２５】
（４）前記（１）によって、左右の建物が異なる左右方向に揺れ動いた場合には固定目地プレートの先端部が凹部内をスライド移動して、その揺れ動きを吸収することができる。
【００２６】
（５）請求項２、３も前記（１）〜（４）と同様な効果が得られる。
【図面の簡単な説明】
【図１】本発明の第１の実施の形態の平面図。
【図２】図１の２−２線に沿う拡大断面図。
【図３】図１の３−３線に沿う断面図。
【図４】本発明の第１の実施の形態の下地レールの説明図。
【図５】本発明の第１の実施の形態の固定目地プレートの説明図。
【図６】本発明の第１の実施の形態の端部目地プレートの説明図。
【図７】本発明の第１の実施の形態の補助目地プレートの説明図。
【図８】本発明の第１の実施の形態の保持具の説明図。
【図９】本発明の第１の実施の形態の異なる左右方向の動作説明図。
【図１０】本発明の第１の実施の形態の異なる前後方向の動作説明図。
【図１１】本発明の第２の実施の形態の平面図。
【図１２】図１１の１２−１２線に沿う断面図。
【図１３】本発明の第２の実施の形態の保持具の説明図。
【図１４】本発明の第３の実施の形態の平面図。
【図１５】図１４の１５−１５線に沿う断面図。
【図１６】端部目地プレートと補助目地プレートの説明図。
【図１７】本発明の第４の実施の形態の平面図。
【図１８】図１７の１８−１８線に沿う断面図。
【図１９】本発明の第４の実施の形態の分解斜視図。
【図２０】本発明の第５の実施の形態の平面図。
【図２１】図２０の２１−２１線に沿う拡大断面図。
【図２２】本発明の第５の実施の形態の分解斜視図。
【符号の説明】
１、１Ａ、１Ｂ、１Ｃ、１Ｄ：床用目地装置、
２：目地部、            ３：建物、
４：凹部、              ５：固定ビス、
６：下地レール、        ７：固定目地プレート取付け凹部、
８：固定ビス、          ９：ローラー、
１０、１０Ａ、１０Ｂ：固定目地プレート、
１１：枢支ピン、        １２：ローラー、
１３、１３Ａ、１３Ｂ：端部目地プレート、
１４：ローラー、
１５、１５Ａ、１５Ｂ：補助目地プレート、
１６、１６Ａ：保持具、  １７：固定ビス、
１８、１８Ａ：カバープレート、
１９：下地レール本体、  ２０：取付け片、
２１：ビス、            ２２：カバープレート取付け片、
２３：固定目地プレート本体、
２４：端部補強バー、    ２５：補強バー、
２６：筋交用補強バー、  ２７：先端部補強バー、
２８：端部目地プレート本体、
２９：補強バー、        ３０：補助目地プレート本体、
３１：補強バー、        ３２：付勢スプリング、
３３：付勢スプリング、  ３４：支持片、
３５：スベリ支承、      ３６：傾斜カバー、
３７：傾斜カバー。
【図１】
0003673447.tif 000002
【図２】
0003673447.tif 000003
【図３】
0003673447.tif 000004
【図４】
0003673447.tif 000005
【図５】
0003673447.tif 000006
【図６】
0003673447.tif 000007
【図７】
0003673447.tif 000008
【図８】
0003673447.tif 000009
【図９】
0003673447.tif 000010
【図１０】
0003673447.tif 000011
【図１１】
0003673447.tif 000012
【図１２】
0003673447.tif 000013
【図１３】
0003673447.tif 000014
【図１４】
0003673447.tif 000015
【図１５】
0003673447.tif 000016
【図１６】
0003673447.tif 000017
【図１７】
0003673447.tif 000018
【図１８】
0003673447.tif 000019
【図１９】
0003673447.tif 000020
【図２０】
0003673447.tif 000021
【図２１】
0003673447.tif 000022
【図２２】
0003673447.tif 000023